(57)【特許請求の範囲】
【請求項１】
画像を表示する表示部と、
前記表示部を支持するフレーム部材と、
前記フレーム部材の一端に支持され、前記フレーム部材をユーザーの頭部に装着させる装着部材と、を有し、
前記装着部材は、前記フレーム部材に支持される部位の形状が互いに異なる第１装着部材及び第２装着部材のうちの一方であり、
前記フレーム部材は、前記一端に、
前記第１装着部材を支持する第１支持部と、
前記第１支持部とは異なる支持形式にて前記第２装着部材を支持する第２支持部と、を有することを特徴とする頭部装着型画像表示装置。
【請求項２】
請求項１に記載の頭部装着型画像表示装置において、
前記第１支持部は、前記第１装着部材を移動可能に支持し、
前記第２支持部には、前記第２装着部材が固定されることを特徴とする頭部装着型画像表示装置。
【請求項３】
請求項１又は請求項２に記載の頭部装着型画像表示装置において、
前記第２支持部は、前記第１支持部の近傍に位置することを特徴とする頭部装着型画像表示装置。
【請求項４】
請求項１から請求項３のいずれか一項に記載の頭部装着型画像表示装置において、
前記第１支持部は、前記第１装着部材を取り付ける第１取付部が第１方向に沿って固定されて前記第１装着部材を支持し、
前記第２支持部は、前記第２装着部材を取り付ける第２取付部が前記第１方向とは異なる第２方向に沿って固定されて前記第２装着部材を支持することを特徴とする頭部装着型画像表示装置。
【請求項５】
請求項４に記載の頭部装着型画像表示装置において、
前記第２方向は、前記フレーム部材に取り付けられた前記第２装着部材の前記フレーム部材からの延出方向に沿う方向であり、
前記第２支持部は、前記フレーム部材において前記延出方向に直交する方向に前記第１支持部を挟む位置にそれぞれ位置することを特徴とする頭部装着型画像表示装置。
【請求項６】
請求項４又は請求項５に記載の頭部装着型画像表示装置において、
前記フレーム部材における前記一端側に取り付けられるケース部材を備え、
前記ケース部材は、
上方に位置する上部ケースと、
下方に位置し、前記上部ケースと組み合わされる下部ケースと、を有し、
前記第２取付部は、前記上部ケース及び前記下部ケースの少なくともいずれかと、前記第２装着部材とを前記第２支持部に取り付けることを特徴とする頭部装着型画像表示装置。
【請求項７】
請求項４から請求項６のいずれか一項に記載の頭部装着型画像表示装置において、
前記第１取付部は、前記第１方向に沿って前記第１装着部材を挿通して、前記第１装着部材を前記第１支持部に取り付ける固定具であり、
前記第２取付部は、前記第２方向に沿って前記第２装着部材を挿通して、前記第２装着部材を前記第２支持部に取り付ける固定具であることを特徴とする頭部装着型画像表示装置。
【請求項８】
請求項４から請求項７のいずれか一項に記載の頭部装着型画像表示装置において、
前記フレーム部材における前記一端側に取り付けられるケース部材を備え、
前記第１取付部は、前記フレーム部材に取り付けられた前記第１装着部材の前記フレーム部材からの延出方向に対する直交方向に沿って前記第１装着部材を挿通して、前記第１装着部材を前記第１支持部に取り付ける固定具であり、
前記第２支持部は、前記ケース部材の内側に位置し、
前記第２取付部は、前記フレーム部材に取り付けられた前記第２装着部材の前記フレーム部材からの延出方向に沿って前記第２装着部材及び前記ケース部材を挿通して、前記第２装着部材及び前記ケース部材を前記第２支持部に取り付ける固定具であることを特徴とする頭部装着型画像表示装置。
【発明の詳細な説明】
【技術分野】
【０００１】
本発明は、頭部装着型画像表示装置に関する。
【背景技術】
【０００２】
従来、ユーザーの頭部に装着され、当該ユーザーにより画像を視認可能に表示する頭部装着型画像表示装置、いわゆるヘッドマウントディスプレイ（ＨＭＤ：Head Mounted Display）が知られている。このようなヘッドマウントディスプレイとして、テンプルを交換可能に構成された眼鏡型ウェアラブル装置が知られている（例えば、特許文献１参照）。
【０００３】
この特許文献１に記載の眼鏡型ウェアラブル装置は、フロント部と、第１のテンプル部と、第２のテンプル部と、表示装置と、を有する。フロント部は、眼鏡におけるリムやブリッジに相当するものであり、当該ウェアラブル装置の装着時に、ユーザーの顔の前方に配置される。第１のテンプル部及び第２のテンプル部は、眼鏡における「つる」に相当するものであり、当該ウェアラブル装置の装着時に、ユーザーの一方及び他方の側頭部に沿って配置される。これらのうち、第１のテンプル部には、ユーザーに表示画像を虚像として拡大観察させる表示装置が搭載され、第２のテンプル部には、バッテリーが設けられている。
【０００４】
なお、当該眼鏡型ウェアラブル装置では、第１のテンプル部及び第２のテンプル部は、フロント部に対して着脱可能となっており、フロント部は、第１のテンプル部及び第２のテンプル部を入れ替え可能に構成されている。具体的に、フロント部は、第１のテンプル部及び第２のテンプル部が接続可能な第１の接続部と、同じく第１のテンプル部及び第２のテンプル部が接続可能な第２の接続部と、を有し、これら接続部には、それぞれ複数の端子が設けられている。そして、各テンプル部は、複数の端子を有し、これにより、眼鏡型ウェアラブル装置は、接続部側の端子への各テンプル部の端子の接続状態に基づいて、どの接続部にどのテンプル部が接続されているかを判別可能に構成されている。
このため、第１のテンプル部が右側に配置され、第２のテンプル部が左側に配置された場合、及び、第２のテンプル部が右側に配置され、第１のテンプル部が右側に配置された場合のいずれの場合でも、表示装置及びバッテリーとテンプル部とが接続線を介して接続され、表示装置の配置側に表示画像を表示できる。このように、上記眼鏡型ウェアラブル装置では、ユーザーの要望や好みに応じて、表示画像の表示位置を変更できる。
【先行技術文献】
【特許文献】
【０００５】
【特許文献１】特開２０１３−２４２４２１号公報
【発明の概要】
【発明が解決しようとする課題】
【０００６】
近年、ＨＭＤは、用途や利用環境が拡大されており、これらに応じてテンプル部を付け替えることが考えられる。
しかしながら、上記特許文献１に記載の眼鏡型ウェアラブル装置のように、ＨＭＤが、テンプル部を一方向からフロント部に接続する構成を有する場合、より大きく重いテンプル部が接続されると、当該テンプル部の接続によって加わる荷重によって、フロント部が変形する可能性がある。このため、フロント部を厚くして強度を高めると、フロント部が重くなり、装着感が低下するという問題がある。
【０００７】
本発明は、上記課題の少なくとも一部を解決することを目的としたものであり、異なる装着部材を安定して取り付けることができる頭部装着型画像表示装置を提供することを目的の１つとする。
【課題を解決するための手段】
【０００８】
本発明の一態様に係る頭部装着型画像表示装置は、画像を表示する表示部と、前記表示部を支持するフレーム部材と、前記フレーム部材の一端に支持され、前記フレーム部材をユーザーの頭部に装着させる装着部材と、を有し、前記フレーム部材は、前記一端に、前記装着部材を支持する第１支持部と、前記第１支持部とは異なる支持形式にて前記装着部材を支持する第２支持部と、を有することを特徴とする。
【０００９】
なお、支持形式が異なるとは、第１支持部及び第２支持部に対する装着部材の取付方向、取付部材及び取付方法、並びに、これら支持部による装着部材の支持状態（例えば、移動可能であるのか固定されているのか）等の少なくともいずれかが異なることを指す。
上記一態様によれば、装着部材の構造や重さに応じて、当該装着部材の取付対象となる支持部を、第１支持部及び第２支持部から選択して利用できる。これによれば、例えば、第１支持部及び第２支持部から、装着部材が装着された際に加わる荷重に抗することが可能な支持部を選択して利用する等して、当該装着部材をフレーム部材に安定して取り付けることができる。従って、それぞれ異なる装着部材を、安定して取り付けることができる。この他、複数種類の装着部材を取付可能となるので、頭部装着型画像表示装置の汎用性を高めることができる。
また、装着部材の形状や構成等に応じて当該装着部材の取付が比較的容易な支持部を、第１支持部及び第２支持部から選択して利用することにより、当該装着部材をフレーム部材に容易に取り付けることができる。従って、この場合には、装着部材の取付を簡略化できる。
【００１０】
上記一態様では、前記第１支持部は、前記装着部材を移動可能に支持し、前記第２支持部には、前記装着部材が固定されることが好ましい。
なお、装着部材が移動可能とは、第１支持部を中心とする装着部材の回動を例示できる他、当該第１支持部とともに実施可能な装着部材のスライド移動を例示できる。
このような構成によれば、装着部材の構成だけでなく、頭部装着型表示装置の用途に応じた支持部に、当該用途に応じた装着部材を取り付けることができる。従って、頭部装着型表示装置の汎用性を向上できる。
【００１１】
上記一態様では、前記第２支持部は、前記第１支持部の近傍に位置することが好ましい。
このような構成によれば、第１支持部及び第２支持部が配置されるフレーム部材の部位を小さくすることができる。従って、頭部装着型画像表示装置の小型化を図ることができる。
【００１２】
上記一態様では、前記第１支持部は、前記装着部材を取り付ける第１取付部が第１方向に沿って固定されて前記装着部材を支持し、前記第２支持部は、前記装着部材を取り付ける第２取付部が前記第１方向とは異なる第２方向に沿って固定されて前記装着部材を支持することが好ましい。
このような構成によれば、第１方向に沿って固定される第１取付部により、第１支持部に装着部材が支持され、また、第１方向とは異なる第２方向に沿って固定される第２取付部により、第２支持部に装着部材が支持される。これによれば、それぞれ異なる方向に沿って固定される第１取付部及び第２取付部のいずれかにより、対応する支持部に装着部材を支持させることができる。従って、装着部材の構造等に応じて、当該装着部材を第１支持部及び第２支持部のいずれかに確実に取り付けることができる。
【００１３】
上記一態様では、前記第２方向は、前記フレーム部材に取り付けられた前記装着部材の前記フレーム部材からの延出方向に沿う方向であり、前記第２支持部は、前記フレーム部材において前記延出方向に直交する方向に前記第１支持部を挟む位置にそれぞれ位置することが好ましい。
このような構成によれば、第２支持部は、第１支持部を挟む位置にそれぞれ位置することにより、第１支持部及び第２支持部を密に配置できる。このため、これら支持部が位置するフレーム部材の部位を確実に小さくすることができる。従って、頭部装着型画像表示装置の小型化を図ることができる。
ここで、第２取付部がねじである場合、第２支持部が１つであると、フレーム部材に対する装着部材の取付時に、当該装着部材が回動してしまう可能性がある。これに対し、第２支持部は少なくとも２つ設けられるので、このような装着部材の回動が生じることを抑制できる。従って、装着部材をより安定して取り付けることができる。
【００１４】
上記一態様では、前記フレーム部材における前記一端側に取り付けられるケース部材を備え、前記ケース部材は、上方に位置する上部ケースと、下方に位置し、前記上部ケースと組み合わされる下部ケースと、を有し、前記第２取付部は、前記上部ケース及び前記下部ケースの少なくともいずれかと、前記装着部材とを前記第２支持部に取り付けることが好ましい。
このような構成によれば、上部ケース及び下部ケースの少なくともいずれかをフレーム部材に取り付けるための構成を別途設ける必要がない。従って、フレーム部材及びケース部材の構成が複雑化することを抑制できる。
また、第２支持部が複数設けられている場合には、上部ケースを固定するための構成として少なくとも１つの第２支持部を利用でき、下部ケースを固定するための構成として他の第２支持部を利用できる。従って、ケース部材が取り付けられるフレーム部材の構成が複雑化することを確実に抑制できる。
【００１５】
上記一態様では、前記第１取付部は、前記第１方向に沿って前記装着部材を挿通して、前記装着部材を前記第１支持部に取り付ける固定具であり、前記第２取付部は、前記第２方向に沿って前記装着部材を挿通して、前記装着部材を前記第２支持部に取り付ける固定具であることが好ましい。
上記固定具としては、ねじを例示できる。
このような構成によれば、第１取付部及び第２取付部が、装着部材を挿通して第１支持部又は第２支持部に取り付けられる固定具であるので、装着部材を確実に第１支持部及び第２支持部に取り付けることができる。従って、簡易な構成によって装着部材を確実にフレーム部材に取り付けることができる。
【００１６】
上記一態様では、前記フレーム部材における前記一端側に取り付けられるケース部材を備え、前記第１取付部は、前記フレーム部材に取り付けられた前記装着部材の前記フレーム部材からの延出方向に対する直交方向に沿って前記装着部材を挿通して、前記装着部材を前記第１支持部に取り付ける固定具であり、前記第２支持部は、前記ケース部材の内側に位置し、前記第２取付部は、前記延出方向に沿って前記装着部材及び前記ケース部材を挿通して、前記装着部材及び前記ケース部材を前記第２支持部に取り付ける固定具であることが好ましい。
このような構成によれば、上記延出方向に沿って装着部材及びケース部材を挿通した固定具が取り付けられる第２支持部は、ケース部材の内側に位置する。これによれば、当該第２支持部を目立たなくすることができる他、上記のように、第２支持部及び当該第２支持部に取り付けられる固定具によって、装着部材だけでなくケース部材をフレーム部材に取り付けることができる。従って、当該ケース部材をフレーム部材に取り付ける構成を当該フレーム部材に別途設ける必要がないので、フレーム部材の構成を簡略化できる。
更に、第１取付部である固定具の装着部材への挿入方向が、上記延出方向に対する直交方向に沿う方向であるので、当該挿入方向を中心軸として装着部材を回動可能に第１支持部に取り付けることができる。このため、例えば、当該直交方向が頭部装着型画像表示装置を装着したユーザーにとっての上下方向である場合には、装着部材をユーザー側に折り畳むことができる。従って、頭部装着型画像表示装置の取扱いを容易にできる。
【図面の簡単な説明】
【００１７】
【図１】本発明の一実施形態に係るＨＭＤを示す斜視図。
【図２】上記実施形態におけるＨＭＤを示す斜視図。
【図３】上記実施形態におけるレンズホルダー及び遮蔽部材が装着されたＨＭＤを示す斜視図。
【図４】上記実施形態におけるノーズパッド及び遮蔽部材が装着されたＨＭＤを示す斜視図。
【図５】上記実施形態における上部ケース及び下部ケースを取り外したＨＭＤを示す斜視図。
【図６】上記実施形態における上部ケース及び下部ケースを取り外したＨＭＤを示す斜視図。
【図７】上記実施形態における画像投射部を示す斜視図。
【図８】上記実施形態における画像投射部を示す斜視図。
【図９】上記実施形態におけるフレーム本体を示す斜視図。
【図１０】上記実施形態におけるフレーム本体を示す斜視図。
【図１１】上記実施形態における上部ケースを示す斜視図。
【図１２】上記実施形態における基板ホルダーを示す斜視図。
【図１３】上記実施形態における基板ホルダーを示す斜視図。
【図１４】上記実施形態における下部ケースを示す斜視図。
【図１５】上記実施形態におけるフレーム本体に対する画像投射部、制御部及びケース部材の取付工程を説明する図。
【図１６】上記実施形態におけるフレーム本体及び装着部材を示す斜視図。
【図１７】上記実施形態におけるフレーム本体及び装着部材を示す斜視図。
【図１８】上記実施形態における収容部及び装着部材を示す断面図。
【図１９】上記実施形態におけるフレーム本体及び装着部材を示す斜視図。
【図２０】上記実施形態におけるフレーム本体及び装着部材を示す斜視図。
【図２１】上記実施形態におけるフレーム本体及び装着部材を示す斜視図。
【図２２】上記実施形態におけるフレーム本体及び装着部材を示す斜視図。
【図２３】上記実施形態におけるフレーム本体及び装着部材を示す斜視図。
【図２４】上記実施形態におけるフレーム本体及び装着部材を示す斜視図。
【発明を実施するための形態】
【００１８】
以下、本発明の一実施形態について、図面に基づいて説明する。
［ＨＭＤの外観構成］
図１〜図４は、本実施形態に係るＨＭＤ１の外観を示す斜視図である。詳述すると、図１及び図３は、当該ＨＭＤ１を前面側上方から見た斜視図であり、図２は、当該ＨＭＤ１を背面側下方から見た斜視図であり、図４は、当該ＨＭＤ１を背面側上方から見た斜視図である。なお、図３においては、レンズホルダーＬＨ及び遮蔽部材ＳＤが装着されたＨＭＤ１を図示しており、また、図４においては、ノーズパッドＮＰ及び遮蔽部材ＳＤが装着されたＨＭＤを図示している。
本実施形態に係るＨＭＤ（Head Mounted Display）１は、ユーザーの頭部に装着されて使用され、当該ユーザーによって視認可能に画像を表示するとともに、外光を透過させて外界を観察可能とするシースルー型の頭部装着型画像表示装置である。このＨＭＤ１は、図１〜図４に示すように、フレーム２と、それぞれフレーム２に支持される撮像装置８（図１）及び２つの光学装置９Ｒ，９Ｌと、を備える。この他、ＨＭＤ１は、フレーム２にノーズパッドＮＰ（図４）、レンズホルダーＬＨ（図３）及び遮蔽部材ＳＤ（図３）を着脱可能に構成されている。
そして、本実施形態に係るＨＭＤ１は、詳しくは後述するが、複数種類の装着部材を装着可能に構成されている点を特徴の１つとしている。
【００１９】
なお、以下の説明では、ＨＭＤ１を装着したユーザーを正面視した場合に、ＨＭＤ１において観察される側を前面側（或いは前方）とし、反対側を背面側（或いは後方）とする。また、ＨＭＤ１における上側及び下側は、当該ユーザーにおける上側及び下側に対応し、ＨＭＤ１における右側及び左側は、当該ＨＭＤ１を装着したユーザーにおける右側及び左側に対応する。
そして、以下に示す図及び説明においては、互いに直交する＋Ｘ方向、＋Ｙ方向及び＋Ｚ方向のうち、＋Ｚ方向を背面側から前面側に向かう方向とし、＋Ｙ方向を下側から上側に向かう方向として記載し、＋Ｘ方向を左側から右側に向かう方向とする。更に、説明の便宜上、＋Ｚ方向の反対方向を−Ｚ方向とする。−Ｙ方向及び−Ｘ方向も同様である。
【００２０】
［ノーズパッドの構成］
ノーズパッドＮＰは、図４に示すように、フレーム本体３において後述する導光部材９７Ｒ，９７Ｌの間に位置する装着部３１１に背面側から挿抜可能に設けられる。このノーズパッドＮＰは、ＨＭＤ１の装着時にユーザーの鼻（小鼻に応じた部位）を左右から挟み、これにより、当該ＨＭＤ１が左右にずれたり、下方にずれたりすることを抑制する。
【００２１】
［レンズホルダーの構成］
レンズホルダーＬＨは、図３に示すように、テンプルのない眼鏡様の構成を有する。このレンズホルダーＬＨは、視力矯正用の左右のレンズ（図示省略）を保持して、上記装着部３１１に背面側から挿抜可能に設けられる。
【００２２】
［遮蔽部材の構成］
遮蔽部材ＳＤは、図３に示すように、導光部材９７Ｒ，９７Ｌを挟んで上記ノーズパッドＮＰ及びレンズホルダーＬＨとは反対側である正面側にて当該導光部材９７Ｒ，９７Ｌを覆うように上記装着部３１１に着脱可能に取り付けられる。この遮蔽部材ＳＤは、導光部材９７Ｒ，９７Ｌに入射される外光の少なくとも一部を遮蔽して外界を見づらくし、これにより、表示される画像の視認性を向上させる。
【００２３】
［フレームの概略構成］
フレーム２は、図１〜図４に示すように、眼鏡のフレーム様の構成を有し、上記のように、撮像装置８及び光学装置９Ｒ，９Ｌを支持する他、上記ノーズパッドＮＰ、レンズホルダーＬＨ及び遮蔽部材ＳＤが装着される。このフレーム２は、上方から見て略Ｕ字状を有するフレーム本体３と、当該フレーム本体３に取り付けられるケース部材４Ｒ，４Ｌと、当該フレーム本体３にそれぞれ設けられる装着部材Ｔ１Ｒ，Ｔ１Ｌと、を有する。
【００２４】
これらのうち、右側の装着部材Ｔ１Ｒ及び左側の装着部材Ｔ１Ｌは、ユーザーの耳に懸架されてＨＭＤ１を支持し、当該ＨＭＤ１をユーザーの頭部に装着させるテンプルである。これら装着部材Ｔ１Ｒ，Ｔ１Ｌは、フレーム本体３に設けられた支持部３５Ｒ，３５Ｌに、ユーザー側に屈曲可能に接続されている。これら装着部材Ｔ１Ｒ，Ｔ１Ｌを、対応する側面部３２Ｒ，３２Ｌと略平行に伸ばすことにより、当該装着部材Ｔ１Ｒ，Ｔ１Ｌをユーザーの左右の耳にかけることができ、ＨＭＤ１を頭部に装着できる。一方、ユーザーがＨＭＤ１を装着しない場合には、装着部材Ｔ１Ｒ，Ｔ１Ｌを内側に屈曲させることにより、当該装着部材Ｔ１Ｒ，Ｔ１Ｌを折り畳むことができる。
なお、装着部材Ｔ１Ｒ，Ｔ１Ｌは、ユーザー側の面、及び、ユーザー側とは反対側の面のそれぞれに露出する断面Ｈ型のゴム等の弾性部材が嵌め込まれたプレートにより構成されている。このようなプレートは、合成樹脂やチタン等の金属により形成できる。なお、弾性部材は、このような構成に限らず、プレートにおけるユーザー側の面、及び、ユーザー側とは反対側の面のそれぞれに接着又は嵌合されてもよく、これらの面のいずれかのみに設けられていてもよい。
【００２５】
フレーム本体３は、ユーザーの額に沿うフロント部３１と、当該フロント部３１の左右の両端から当該フロント部３１と交差する背面側（ユーザーの後方）に延出して、ユーザーの左右のこめかみに沿う側面部３２Ｒ，３２Ｌと、を有する。このフレーム本体３は、フロント部３１及び側面部３２Ｒ，３２Ｌが一体的に形成された金属製の一体成型品である。
フロント部３１は、フレーム本体３において左右方向に沿う部位である。このフロント部３１は、本発明の支持部に相当し、ユーザーの左右の眼前に配置される表示部としての導光部材９７Ｒ，９７Ｌを支持する他、支持された導光部材９７Ｒ，９７Ｌの間に位置する上記装着部３１１にてノーズパッドＮＰ、レンズホルダーＬＨ及び遮蔽部材ＳＤを支持する。また、フロント部３１における左側端部３１Ｌ及び右側端部３１Ｒは、上方から見て後方側に円弧状に湾曲しており、右側端部３１Ｒには、後述する撮像装置８が配置されている。そして、右側端部３１Ｒから側面部３２Ｒが後方に延出しており、左側端部３１Ｌから側面部３２Ｌが後方に延出している。
側面部３２Ｒは、ケース部材４Ｒと組み合わされて、光学装置９Ｒを構成する右側の画像投射部９１及び制御部９６を内部に収容する収容空間Ｓ（図７及び図８）を有する収容部ＨＰＲを構成する。
同様に、側面部３２Ｌは、ケース部材４Ｌと組み合わされて、光学装置９Ｌを構成する左側の画像投射部９１及び制御部９６を内部に収容する収容空間Ｓを有する収容部ＨＰＬを構成する。
これら側面部３２Ｒ，３２Ｌ及びケース部材４Ｒ，４Ｌについては、後に詳述する。
【００２６】
［撮像装置の構成］
撮像装置８は、図１〜図４に示すように、フレーム本体３に設けられている。具体的に、撮像装置８は、フロント部３１における右側端部３１Ｒに設けられている。この撮像装置８は、当該右側端部３１Ｒに嵌め込まれる撮像部及び発光部と、これら撮像部及び発光部を覆ってフレーム本体３の外面に取り付けられるカバー８１と、を有する。
これらのうち、カバー８１は、光透過性の樹脂により形成されており、上記右側端部３１Ｒに立方体形状のカバー８１が埋め込まれたような形状として視認される。
撮像部は、撮像方向が前面側を向くように配置され、カバー８１に取り付けられた透光性部材８２を介してユーザーの前方の領域を撮像する。
発光部は、光の出射方向が右方を向くように配置される。この発光部は、撮像装置８の動作状態を報知するものであり、撮像部による撮像が行われている場合に点灯する。このような発光部の点灯時には、当該発光部から出射された光は、カバー８１を介して外部から確認される。
このような撮像装置８は、収容部ＨＰＲ内に配置された制御部９６によって制御され、当該制御部９６に撮像画像を出力する他、発光部の点灯状態が制御される。
【００２７】
ここで、保護カバーとして機能する透光性部材８２が円形状であると、撮像装置８の外観が如何にもカメラの外観となり、例え撮像部が動作していなくても「カメラが自身に向けられている」との不安感を周囲に与えてしまう可能性がある。このような不安感を和らげるために、本実施形態では、透光性部材８２を矩形状に形成して、撮像装置８をカメラと把握されづらくしている。なお、透光性部材８２としては、撮像装置８の防水及び防塵を図ることができ、かつ、表面に傷等が付きにくいものであれば、レンズとして機能する構成としてもよい。
【００２８】
［光学装置の構成］
図５及び図６は、ケース部材４Ｒを構成する上部ケース５Ｒ及び下部ケース７Ｒを取り外したＨＭＤ１を背面側上方及び背面側下方からそれぞれ見た斜視図である。なお、図５及び図６においては、装着部材Ｔ１Ｒ，Ｔ１Ｌの図示を省略している。
光学装置９Ｒは、フレーム２において右側に位置し、光学装置９Ｌは、左側に位置する。これら光学装置９Ｒ，９Ｌは、外部から入力される画像信号に応じた画像をユーザーに視認可能に表示する。これらのうち、光学装置９Ｒは、図５及び図６に示すように、側面部３２Ｒとケース部材４Ｒとが組み合わされて構成される収容部ＨＰＲにそれぞれ配置される画像投射部９１及び制御部９６と、上記フロント部３１に支持される導光部材９７Ｒと、を有する。
なお、以下の説明では光学装置９Ｒについて主に説明するが、光学装置９Ｌも、光学装置９Ｒとは鏡面対称となるが、当該光学装置９Ｒと同様の画像投射部９１、制御部９６及び導光部材９７Ｌを有する。
【００２９】
［画像投射部の構成］
図７は、画像投射部９１を画像光の投射側とは反対側（背面側）における上方から見た斜視図であり、図８は、画像投射部９１を画像光の投射側（正面側）における下方から見た斜視図である。なお、図７及び図８では、画像形成装置９２の枠体を図示し、表示パネルの図示を省略している。
各光学装置９Ｒ，９Ｌの画像投射部９１は、対応する導光部材９７Ｒ，９７Ｌに画像光（画像を形成する光）を投射するものであり、それぞれ対応する収容部ＨＰＲ，ＨＰＬに収容される被収容部材の１つである。この画像投射部９１は、図７及び図８に示すように、画像形成装置９２及び投射光学装置９３が互いに組み合わされて一体化されたユニットとして構成されている。
【００３０】
画像形成装置９２は、制御部９６による制御の下、外部からケーブルＣＢを介して入力される画像信号に応じた画像光を形成する画像形成部である。この画像形成装置９２は、本実施形態では、有機ＥＬ（Electro-Luminescence）パネル等の自己発光型表示パネルにより構成されている。しかしながら、これに限らず、画像形成装置９２は、ＬＥＤ（Light Emitting Diode）等の光源と、透過型又は反射型の液晶パネルや、ＭＥＭＳミラー等のマイクロミラーを用いたデバイス等の光変調装置との組合せにより構成することも可能である。
このような画像形成装置９２とフレーム本体３（後述する固定部３２０或いは側面部３２Ｒ，３２Ｌ）とは、図示しない熱伝導部材によって接続される。これにより、画像形成装置９２にて生じた熱を、外部に露出する金属製部材であるフレーム本体３に伝導でき、当該フレーム本体３にて外部に放熱できる。
【００３１】
投射光学装置９３は、画像形成装置９２によって形成された画像光を、対応する導光部材９７Ｒ，９７Ｌに出射する。この投射光学装置９３は、複数のレンズ９４と、当該複数のレンズ９４を収容する鏡筒９５とを備えた組レンズとして構成されている。なお、画像形成装置９２から入射される画像光を導光部材９７Ｒ，９７Ｌに導くことが可能であれば、当該複数のレンズの少なくとも１つに代えてプリズム（投射プリズム）を採用してもよい。
この鏡筒９５は、図７に示すように、上端面９５Ａにねじ孔である固定部９５１を有する他、図８に示すように、下端面９５Ｂにねじ孔である固定部９５２を有する。そして、鏡筒９５は、鏡筒９５は、図５に示すように、固定部９５１にてフレーム本体３の固定部３２０に固定される。鏡筒９５の固定部９５２には、図６に示すように、基板ホルダー６Ｒが取り付けられる。すなわち、鏡筒９５を含む画像投射部９１は、基板ホルダー６Ｒによって下方側から覆われる。図示を省略するが、光学装置９Ｌの画像投射部９１も、同様の基板ホルダーによって下方側から覆われる。
【００３２】
光学装置９Ｌを構成する制御部９６は、左側の収容部ＨＰＬに接続されたケーブルＣＢを介して外部から供給される画像信号に応じて、同じく光学装置９Ｌを構成する画像形成装置９２を動作させる。また、光学装置９Ｒを構成する制御部９６は、上記フロント部３１と導光部材９７Ｒ，９７Ｌとの間を通る信号線（図示省略）を介して、光学装置９Ｌの制御部９６から入力される画像信号に応じて、同じく光学装置９Ｒを構成する画像形成装置９２を動作させる。これら制御部９６も、上記収容部ＨＰＲ，ＨＰＬにそれぞれ収容される被収容部材の１つである。
なお、光学装置９Ｒの制御部９６には、上記撮像装置８を制御する制御回路が実装されている。
【００３３】
右側の導光部材９７Ｒ及び左側の導光部材９７Ｌは、それぞれ本発明の表示部を構成する。これら導光部材９７Ｒ，９７Ｌは、ユーザーの左右の眼前に配置され、対応する画像投射部９１から出射された画像光を、ユーザーの左眼及び右眼に導く。
具体的に、導光部材９７Ｒは、光学装置９Ｒの画像投射部９１から投射された右眼用の画像光を、界面にて内面反射させて中央側に進行させ、ユーザーの右眼に応じた位置に設けられた半透過層によって右眼に導く。左眼用の画像光を左眼に導く導光部材９７Ｌも同様である。
これら導光部材９７Ｌ，９７Ｒは、それぞれ可視光領域で高い光透過性を示す樹脂（例えばシクロオレフィンポリマー）により形成されている。このため、左右の眼前に配置された導光部材９７Ｒ，９７Ｌを介して、ユーザーは、外界を観察可能である。
【００３４】
［側面部の構成］
図９及び図１０は、フレーム本体３を示す斜視図である。具体的に、図９は、フレーム本体３を構成する側面部３２Ｒの内面３２Ａを背面側上方から見た斜視図であり、図１０は、当該側面部３２Ｒを背面側下方から見た斜視図である。
フレーム本体３は、本発明のフレーム部材に相当する。このフレーム本体３は、上記のように、フロント部３１及び左右の側面部３２Ｒ，３２Ｌを有する。
側面部３２Ｒは、図９及び図１０に示すように、ユーザー側の内面３２Ａから起立して上記右側端部３１Ｒの上面と接続される固定部３２０と、同じく内面３２Ａからそれぞれ起立するリブ３２１〜３２５と、防水部材３４と、を有する。
【００３５】
固定部３２０は、上記フロント部３１の右側端部３１Ｒから背面側で、かつ、当該フロント部３１の上端面３１Ａから下方に下がった部位に位置する。この固定部３２０は、左右方向に沿う平面部（ＸＺ平面に沿う平面部）である。
この固定部３２０は、当該固定部３２０の下方に配置される鏡筒９５の固定部９５１に螺合するねじが上方から挿通する孔部３２０１を有する他、固定部３２０における前面側の縁部に、上部ケース５Ｒを位置決めするための突出部３２０２を有する。
このような固定部３２０は、側面部３２Ｒの内面３２Ａから突出しているので、突出量が大きいリブということもできる。
なお、図示を省略するが、側面部３２Ｌも、同様の固定部３２０を有する。
【００３６】
リブ３２１，３２２は、フロント部３１からの側面部３２Ｒの延出方向に沿って延出している。具体的に、リブ３２１は、側面部３２Ｒにおける上端近傍の位置に、上記固定部３２０と連続して背面側の端部近傍の位置まで延出している。すなわち、当該リブ３２１は、固定部３２０と併せて、フロント部３１からの側面部３２Ｒの延出方向に沿って当該側面部３２Ｒにおける前面側の端部から背面側に延出している。
リブ３２２は、側面部３２Ｒにおける上下方向の略中央で、かつ、背面側の位置に形成されている。
【００３７】
リブ３２３〜３２５は、フロント部３１からの側面部３２Ｒの延出方向に略直交する方向に沿って延出している。具体的に、リブ３２３は、リブ３２１における背面側の端部と、リブ３２２における前面側の端部とを接続している。リブ３２４は、リブ３２２における背面側の端部から上方に延出し、リブ３２５は、当該端部から下方に延出している。これらリブ３２４，３２５は、装着部材Ｔ１Ｒが回動可能に支持される支持部３５Ｒと接続されている。すなわち、支持部３５Ｒは、側面部３２Ｒと一体的に形成されている。
このようなリブ３２１〜３２５は、側面部３２Ｒの強度を高める機能を有する。
【００３８】
これらのうち、リブ３２２，３２４，３２５は、ケース部材４Ｒを固定するケース固定部を有する。
具体的に、リブ３２２が有するケース固定部３２２１は、基板ホルダー６Ｒを挿通して上部ケース５Ｒのねじ孔５１６（図１１）に螺合するねじが挿通する孔部である。
リブ３２４が有するケース固定部３２４１は、上部ケース５Ｒを挿通したねじが背面側から螺合するねじ孔である。
リブ３２５が有するケース固定部３２５１は、上部ケース５Ｒ及び下部ケース７Ｒを挿通したねじが螺合するねじ孔である。
このように、上部ケース５Ｒ、基板ホルダー６Ｒ及び下部ケース７Ｒのそれぞれの背面側端部は、側面部３２Ｒにおいて背面側に位置するリブ３２２，３２４，３２５にて固定される。
【００３９】
上記リブ３２１〜３２５のうち、互いに接続されるリブ３２１〜３２４と固定部３２０とには、図９及び図１０に示すように、溝部ＧＲが形成されている。詳述すると、上記固定部３２０と、当該固定部３２０と接続されて側面部３２Ｒの背面側端部に至るリブ３２１〜３２４との各上面には、フロント部３１からの側面部３２Ｒの延出方向に沿う溝部ＧＲが、内面３２Ａと当該溝部ＧＲの内面が接続されるように形成されている。すなわち、溝部ＧＲは、側面部３２Ｒにおけるフロント部３１側の端部から当該フロント部３１側とは反対側の端部までの略全域に亘って形成されている。なお、溝部ＧＲの前方側の基端部は、固定部３２０の突出部３２０２近傍の位置である。
【００４０】
上記内面３２Ａの略中央には、基板ホルダー６Ｒが有する鉤状部６１３（図１２）によって係止される係合部３２６が突設されている。また、フロント部３１の右側端部３１Ｒにおける内面には、同じく基板ホルダー６Ｒが有する鉤状部６４（図１２）によって係止される係合部３１２が形成されている。
なお、図示を省略するが、側面部３２Ｒと鏡面対称構造を有する側面部３２Ｌも、上記固定部３２０、リブ３２１〜３２５及び係合部３２６を有し、左側端部３１Ｌにおける内面には、係合部３１２と同様の係合部が突設されている。
【００４１】
防水部材３４は、フロント部３１に支持される導光部材９７Ｒにおける右側の端部の周囲を囲む枠状に形成され、当該端部に取り付けられて、右側端部３１Ｒからフロント部３１の中央寄りの位置に配置される。この防水部材３４は、導光部材９７Ｒとフレーム本体３との間に、塵埃や液体が侵入する隙間が生じることを抑制する。
なお、図２に示すように、導光部材９７Ｌの左側の端部の周囲にも、枠状の防水部材３４が設けられている。
【００４２】
［ケース部材の構成］
側面部３２Ｒと組み合わされて収容部ＨＰＲを構成するケース部材４Ｒは、図５及び図６に示したように、上部ケース５Ｒ、基板ホルダー６Ｒ及び下部ケース７Ｒを有する。
また、側面部３２Ｌと組み合わされて収容部ＨＰＬを構成するケース部材４Ｌも、上部ケース５Ｒ、基板ホルダー６Ｒ及び下部ケース７Ｒとそれぞれ鏡面対称構造を有する上部ケース５Ｌ、基板ホルダー（図示省略）及び下部ケース７Ｌを有する。
【００４３】
［上部ケースの構成］
図１１は、上部ケース５Ｒを側面部３２Ｒ側で下方から見た斜視図である。
上部ケース５Ｒは、画像投射部９１を上方から覆う部材である。この上部ケース５Ｒは、図１１に示すように、側面部３２Ｒと接続される上面部５１と、当該上面部５１におけるユーザー側の端部から垂下して側面部３２Ｒと対向する側面部５２と、これら上面部５１及び側面部５２に交差する背面部５３と、を有する。
【００４４】
上面部５１は、側面部５２側とは反対側の端縁に、当該端縁に沿って下方に突出した突出部５１１を有する。また、上面部５１は、当該端縁における背面側の部位に、突出部５１１より更に下方に突出した突出部５１２を有する。これらのうち、突出部５１１の先端面は、上部ケース５Ｒが側面部３２Ｒと組み合わされる際に、上記固定部３２０及びリブ３２１のそれぞれに形成された溝部ＧＲ内に挿入されて、当該溝部ＧＲの底部に当接する。また、突出部５１２は、上記リブ３２３，３２２に形成された溝部ＧＲ内に挿入されて、当該突出部５１２における正面側の端縁５１３及び下方側の端縁５１４は、これらリブ３２３，３２２に形成された溝部ＧＲの底部に当接する。すなわち、これら突出部５１１，５１２は、下方に一体となって突出した突条であり、固定部３２０及びリブ３２１〜３２４に形成された溝部ＧＲに挿入され、当該溝部ＧＲの底部に当接される。なお、上下方向に沿う端縁５１３は、溝部ＧＲにおいて対向する部位の底面に当接されていなくてもよい。
上面部５１の内面（下方を向く内面）には、当該内面から突出するボス５１５が形成されており、当該ボス５１５には、ねじ孔５１６が形成されている。
上面部５１における前面側の端縁には、凹部５１７が形成されている。この凹部５１７には、上部ケース５Ｒがフレーム本体３と組み合わされる際に、上記固定部３２０の突出部３２０２が嵌まり込み、これにより、上部ケース５Ｒが位置決めされる。
【００４５】
側面部５２は、鉤状部５２１、突出部５２２，５２３及び孔部５２４を有する。
鉤状部５２１は、側面部５２の内面５２Ａ（側面部３２Ｒと対向する内面５２Ａ）に、下方を向くように形成されている。この鉤状部５２１は、基板ホルダー６Ｒと係合する。
突出部５２２は、側面部５２の正面側下端部から正面側に突出して形成されている。
突出部５２３は、当該突出部５２２の先端部から側面部３２Ｒ側に突出している。この突出部５２３は、下部ケース７Ｒと組み合わされる部位である。
孔部５２４は、当該突出部５２３に形成されており、下部ケース７Ｒを挿通して基板ホルダー６Ｒに螺合するねじが下方から挿通する。
このような側面部５２の下端部５２５は、上部ケース５Ｒが下部ケース７Ｒと組み合わされた際位に、当該下部ケース７Ｒの外側段差部７３の上面７３Ａ（図１４）に当接する。
【００４６】
背面部５３は、上部ケース５Ｒが側面部３２Ｒと組み合わされた際に、上記リブ３２４，３２５に対して背面側に位置する。この背面部５３は、略中央に凹部５３１を有する他、当該凹部５３１を上下に挟む位置に、２つの孔部５３２，５３３を有する。
凹部５３１は、側面部３２Ｒのリブ３２４，３２５と接続された支持部３５Ｒを外部に露出させるための凹部である。
孔部５３２，５３３のうち、上方に位置する孔部５３２は、上記ケース固定部３２４１に固定されるねじが挿通する孔部であり、当該ねじがケース固定部３２４１に固定されることにより、上部ケース５Ｒが側面部３２Ｒに固定される。
下方に位置する孔部５３３は、上記ケース固定部３２５１に固定されるねじが挿通する孔部であり、当該ねじは、孔部５３３の他、下部ケース７Ｒの孔部７８（図１４）を挿通する。
【００４７】
［基板ホルダーの構成］
図１２は、基板ホルダー６Ｒを背面側上方から見た斜視図であり、図１３は、当該基板ホルダー６Ｒを背面側下方から見た斜視図である。
基板ホルダー６Ｒは、鏡筒９５に固定されて当該鏡筒９５を下方から覆う内部ケースである。この基板ホルダー６Ｒは、図１２及び図１３に示すように、右側の端縁が側面部３２Ｒに沿い、左側及び背面側の端縁が上部ケース５Ｒにおける左側及び背面側の端縁に沿い、周縁が上方に起立した枠状に形成されている。この基板ホルダー６Ｒにおける幅寸法（幅方向である＋Ｘ方向の寸法）は、上記上部ケース５Ｒにおける同方向の幅寸法より小さくなっており、当該基板ホルダー６Ｒは、上部ケース５Ｒと側面部３２Ｒとにより囲まれる空間内に配置される。
このような基板ホルダー６Ｒは、固定部６１、開口部６２，６３、鉤状部６４、ねじ孔６５、凹部６６、突出部６７、孔部６８及び下端部６９を有する。
【００４８】
固定部６１は、基板ホルダー６Ｒの略中央に平板状に形成され、上面６１Ａ側にて上記鏡筒９５に固定される他、下面６１Ｂ側に制御部９６が配置される部位である。この上面６１Ａの略中央には、孔部６１２を有するボス６１１が上方に向けて突設されている。この孔部６１２を下方から挿通したねじが、上記鏡筒９５の固定部９５２に固定されることにより、鏡筒９５に基板ホルダー６Ｒが固定される。
また、上面６１Ａには、位置決め部としての鉤状部６１３が突設されている。この鉤状部６１３は、フレーム本体３の上記係合部３２６を係止する。
【００４９】
開口部６２は、固定部６１に対して正面側に位置する。この開口部６２には、固定部６１の下方に配置された制御部９６に接続される上記信号線、及び、撮像装置８から延出する信号線を含むフレキシブルプリント基板ＦＰＣ（図１５）が挿通される。
開口部６３は、固定部６１に対して背面側に位置する。この開口部６３には、上記鏡筒９５と一体化された画像形成装置９２から延出して制御部９６と接続される信号線（図示省略）が挿通される。
【００５０】
鉤状部６４は、基板ホルダー６Ｒにおける正面側端部に位置する位置決め部である。この鉤状部６４は、上記係合部３１２（図９及び図１０）を係止する。
ねじ孔６５は、当該鉤状部６４近傍に形成されている。このねじ孔６５には、下部ケース７Ｒの孔部７６（図１４）及び上部ケース５Ｒの孔部５２４（図１１）を下方から挿通したねじが固定される。
凹部６６は、当該ねじ孔６５が形成された部位の下面側に形成されている。この凹部６６には、上部ケース５Ｒの突出部５２３（図１１）が嵌まり込む。
【００５１】
突出部６７は、基板ホルダー６Ｒにおける背面側に位置し、基板ホルダー６Ｒの周縁に形成された起立部より上方に突出している。この突出部６７は、基板ホルダー６Ｒが側面部３２Ｒと組み合わされる際に、上記リブ３２２の下面（図９及び図１０）と当接する。
孔部６８は、突出部６７に形成されている。この孔部６８には、上記ケース固定部３２２１（図９及び図１０）を挿通して上部ケース５Ｒのねじ孔５１６（図１１）に固定されるねじが下方から挿通する。
下端部６９は、基板ホルダー６Ｒの周縁より僅かに内側の部位から下方に突出し、図６に示すように、上記固定部６１の下方に配置される制御部９６の周囲（±Ｘ方向及び±Ｚ方向の周囲）を囲む。この下端部６９は、制御部９６が配置される下面６１Ｂより更に下方に位置しており、当該下端部６９の先端面６９Ａ（下端部６９において下方を向く面）は、下部ケース７Ｒにおいて後述する内側段差部７２（図１４）に当接する。
【００５２】
［下部ケースの構成］
図１４は、下部ケース７Ｒを背面側上方から見た斜視図である。
下部ケース７Ｒは、基板ホルダー６Ｒを下方から覆うとともに、上部ケース５Ｒ及び側面部３２Ｒと組み合わされて収容部ＨＰＲの外縁を構成する部材である。
下部ケース７Ｒは、図１４に示すように、基板ホルダー６Ｒの外形形状と同様に、右側の端縁が側面部３２Ｒに沿い、左側及び背面側の端縁が上部ケース５Ｒにおける左側及び背面側の端縁に沿う形状に形成されている。この他、下部ケース７Ｒにおける背面側の端部は、上方に向かって傾斜して形成されている。
このような下部ケース７Ｒは、起立部７１、内側段差部７２、外側段差部７３、切欠７４、平坦部７５、孔部７６、起立部７７及び孔部７８を有する。
【００５３】
起立部７１は、下部ケース７Ｒの底面７Ａ（基板ホルダー６Ｒに対向する対向面）における周縁から上方に起立している。この起立部７１は、上記基板ホルダー６Ｒを上方から見た外縁形状と略一致する外縁形状に形成されている。なお、当該下部ケース７Ｒが側面部３２Ｒと係合した際、下部ケース７Ｒにおいて右側（＋Ｘ方向側）の起立部７１における外側の側面は、当該側面部３２Ｒの内面３２Ａにおける下端部と当接する。
内側段差部７２は、起立部７１の内側に、上面が当該起立部７１の上端より下側で、かつ、下部ケース７Ｒの底面７Ａ（上側を向く面）より上側に位置するように形成されている。この内側段差部７２の上面には、基板ホルダー６Ｒの下端部６９（図１２及び図１３）の下端面が当接し、これにより、基板ホルダー６Ｒにおける固定部６１の下面６１Ｂと、下部ケース７Ｒの底面７Ａとの間に、上記制御部９６が配置される配置空間が形成される。すなわち、基板ホルダー６Ｒの下端部６９は、起立部７１内に収容され、これにより、当該制御部９６の周囲が囲まれるだけでなく、当該制御部９６が固定部６１（図１２及び図１３）により上方から覆われ、底面７Ａにより下方から覆われる。
【００５４】
外側段差部７３は、下部ケース７Ｒにおける起立部７１の外側に、上面が当該起立部７１の上端より下側で、かつ、下部ケース７Ｒの下面７Ｂ（下側を向く面）より上側に位置するように形成されている。この外側段差部７３の上面には、上部ケース５Ｒにおける側面部５２の下端部５２５（図１１）が当接する。これにより、下部ケース７Ｒと、上部ケース５Ｒ及び側面部３２Ｒとの繋ぎ目を目立たなくすることができる他、これらの間に隙間が生じることを抑制できる。
【００５５】
切欠７４は、下部ケース７Ｒにおける正面側端部に、起立部７１の一部を切り欠いて形成されている。
平坦部７５は、当該切欠７４に対する下部ケース７Ｒの内側に位置する。この平坦部７５と基板ホルダー６Ｒの凹部６６（図１３）との間には、切欠７４を介して挿入された上部ケース５Ｒの突出部５２３（図１１）が配置される。
孔部７６は、平坦部７５に形成されており、当該孔部７６を下方から挿通したねじは、突出部５２３に形成された孔部５２４を挿通して、基板ホルダー６Ｒに形成されたねじ孔６５（図１３）に固定される。これにより、前面側にて、上部ケース５Ｒ、基板ホルダー６Ｒ及び下部ケース７Ｒが固定される。
【００５６】
起立部７７は、下部ケース７Ｒの背面側端部から上方に起立している。
孔部７８は、当該起立部７７に形成されている。この孔部７８には、上部ケース５Ｒの孔部５３３（図１１）を挿通したねじが挿通し、当該ねじは、上記リブ３２５に位置するケース固定部３２５１（図９及び図１０）に固定される。
【００５７】
［フレーム本体に対する画像投射部、制御部及びケース部材の取付］
図１５は、光学装置９Ｒが有する画像投射部９１及び制御部９６と、ケース部材４Ｒとのフレーム本体３に対する取付工程を説明する図である。
上記したフレーム本体３に光学装置９Ｒの画像投射部９１及び制御部９６と、ケース部材４Ｒとを取り付ける場合には、図１５に示すように、まず、側面部３２Ｒの固定部３２０の孔部３２０１を上方から挿通したねじを鏡筒９５の固定部９５１に固定する。これにより、当該固定部３２０に画像投射部９１が固定される。
【００５８】
次に、画像投射部９１（鏡筒９５）に対して下側から基板ホルダー６Ｒを固定する。具体的に、位置決め部としての鉤状部６１３，６４がフレーム本体３の係合部３２６，３１２を係止するように基板ホルダー６Ｒをフレーム本体３に取り付ける。この状態では、突出部６７の上端がリブ３２２の下面に当接する。このような状態で、孔部６１２に下方から挿入したねじを鏡筒９５の固定部９５２に固定する。これにより、画像投射部９１を下方から覆うように当該画像投射部９１に基板ホルダー６Ｒが固定されるともに、フレーム本体３に対して基板ホルダー６Ｒが仮固定（位置決め）される。
【００５９】
この後、基板ホルダー６Ｒにおける固定部６１の下面６１Ｂに制御部９６を配置する。この際、開口部６２を挿通したフレキシブルプリント基板ＦＰＣを当該制御部９６に接続するともに、開口部６３を挿通した画像形成装置９２の信号線（図示省略）を制御部９６に接続する。
【００６０】
そして、画像投射部９１を上側から覆うように、上部ケース５Ｒを取り付けるとともに、基板ホルダー６Ｒを下側から覆うように、下部ケース７Ｒを取り付け、これら上部ケース５Ｒ及び下部ケース７Ｒを互いに組み合わせる他、側面部３２Ｒに固定する。
この際、上部ケース５Ｒの突出部５１１，５１２が、側面部３２Ｒの固定部３２０及びリブ３２１〜３２３に形成された溝部ＧＲの底部に当接するように、当該上部ケース５Ｒをユーザー側から側面部３２Ｒに組み合わせる。これにより、凹部５３１内に支持部３５Ｒの基端部（リブ３２４との接続部分）が位置し、また、基板ホルダー６Ｒの凹部６６内に突出部５２３が位置することとなる。
【００６１】
この状態で、基板ホルダー６Ｒの孔部６８とケース固定部３２２１（図９及び図１０）とに下方からねじを挿通し、当該ねじを上部ケース５Ｒのねじ孔５１６（図１１）に固定する。これにより、背面側にて、側面部３２Ｒと上部ケース５Ｒ及び基板ホルダー６Ｒとが固定される。
また、上部ケース５Ｒの孔部５３２に挿入したねじを、リブ３２４のケース固定部３２４１に固定することにより、側面部３２Ｒに上部ケース５Ｒが固定される。
【００６２】
一方、下部ケース７Ｒの内側段差部７２の上面を基板ホルダー６Ｒの下端部６９の下端面に当接させるとともに、上部ケース５Ｒの下端部５２５の下端縁を外側段差部７３に当接させるようにして、下部ケース７Ｒを、上部ケース５Ｒ、基板ホルダー６Ｒ及び側面部３２Ｒに組み合わせる。
この状態で、下部ケース７Ｒの孔部７６に下方からねじを挿入し、当該ねじを、上部ケース５Ｒの孔部５２４に挿通させた後に、基板ホルダー６Ｒのねじ孔６５に固定することにより、フレーム本体３の前面側にて、上部ケース５Ｒ、基板ホルダー６Ｒ及び下部ケース７Ｒを一体化する。
また、上部ケース５Ｒの孔部５３３にねじを挿入し、当該ねじを、下部ケース７Ｒの孔部７８に挿通させた後に、リブ３２５のケース固定部３２５１に固定する。これにより、背面側にて、上部ケース５Ｒ及び下部ケース７Ｒが側面部３２Ｒに固定される。
【００６３】
このような工程により、フレーム本体３に光学装置９Ｒの画像投射部９１及び制御部９６と、ケース部材４Ｒとを取り付けることができる。
なお、フレーム本体３に光学装置９Ｌの画像投射部９１及び制御部９６と、ケース部材４Ｌとを取り付ける場合も同様の工程により実施可能である。
【００６４】
［装着部材の取付構造］
図１６は、装着部材Ｔ１Ｒ，Ｔ１Ｌのうち装着部材Ｔ１Ｒを分離させたＨＭＤ１を背面側上方から見た斜視図である。
装着部材Ｔ１Ｒ，Ｔ１Ｌは、上記のように、リブ３２４，３２５と一体的に形成され、かつ、ケース部材４Ｒ，４Ｌから背面側に突出する支持部３５Ｒ，３５Ｌに、ユーザー側に回動可能に取り付けられる。
これら装着部材Ｔ１Ｒ，Ｔ１Ｌは、図１６に示すように、側面部３２Ｒ，３２Ｌの側面形状に沿って背面側に向かうに従って上下方向の寸法が小さくなるテーパー状に形成されているとともに、上方から見て、ＨＭＤ１が装着されるユーザーの側頭部の形状に沿った湾曲形状に形成されている。
【００６５】
これらのうち、装着部材Ｔ１Ｒの正面側端部（フレーム本体３側の端部）には、ユーザー側（左側）に突出し、かつ、上下方向に並ぶ突出部Ｔ１１，Ｔ１３が設けられている。これら突出部Ｔ１１，Ｔ１３のうち、上側に位置する突出部Ｔ１１には、本発明の第１取付部に相当する固定具としてのねじＳＣが下方（第１方向）に挿通可能な孔部Ｔ１２が形成され、下側に位置する突出部Ｔ１３には、孔部Ｔ１２を挿通したねじＳＣが螺合可能なねじ孔Ｔ１４が形成されている。
なお、図示を省略するが、装着部材Ｔ１Ｌと鏡面対称構造を有する装着部材Ｔ１Ｌも同様の構成を有する。
【００６６】
一方、支持部３５Ｒは、本発明の第１支持部に相当し、中心軸が上下方向に沿う円筒状に形成されている。この支持部３５Ｒは、孔部Ｔ１２を挿通したねじＳＣが挿通される孔部３５１を有する。なお、図示を省略するが、装着部材Ｔ１Ｌに対する第１支持部としての支持部３５Ｌも、同様に孔部３５１を有する円筒状に形成されている。
【００６７】
そして、上記装着部材Ｔ１Ｒが支持部３５Ｒに取り付けられる際には、支持部３５Ｒを挟むように突出部Ｔ１１，Ｔ１３を配置する。そして、上記ねじＳＣを下方に向かって孔部Ｔ１２に挿入した後、当該ねじＳＣを孔部３５１に挿入し、更にねじ孔Ｔ１４に螺合させる。これにより、支持部３５Ｒに装着部材Ｔ１Ｒを回動可能に取り付けることができる。なお、支持部３５Ｌに対する装着部材Ｔ１Ｌの取付も同様である。
【００６８】
［他の装着部材の取付構造］
図１７は、フレーム本体３と装着部材Ｔ２Ｒ，Ｔ２Ｌとを背面側上方から見た斜視図である。なお、図１７では、導光部材９７Ｒ，９７Ｌ等の図示を省略している。
フレーム本体３には、図１７に示すように、装着部材Ｔ１Ｒ，Ｔ１Ｌとは異なる装着部材Ｔ２Ｒ，Ｔ２Ｌを取付可能である。これら装着部材Ｔ２Ｒ，Ｔ２Ｌは、装着部材Ｔ１Ｒ，Ｔ１Ｌと略同じ形状を有するが、フレーム本体３に対する取付構造が異なる。
具体的に、装着部材Ｔ２Ｒは、前面側端部に、左側に屈曲した屈曲部Ｔ２１，Ｔ２３を有し、当該屈曲部Ｔ２１，Ｔ２３には、装着部材Ｔ２Ｒを支持部３６Ｒに取り付ける第２取付部に相当する固定具としてのねじＳＣ１，ＳＣ２（図１８）が背面側から挿通する孔部Ｔ２２，Ｔ２４が形成されている。これら屈曲部Ｔ２１，Ｔ２３の正面側の端面Ｔ２１Ａ，Ｔ２３Ａは、ＸＹ平面に沿う端面であり、当該端面Ｔ２１Ａ，Ｔ２３Ａは、装着部材Ｔ２Ｒがフレーム本体３に取り付けられる際に、上記上部ケース５Ｒの背面部５３に当接する当接面である。
【００６９】
これら屈曲部Ｔ２１，Ｔ２３の間には、凹部Ｔ２５が形成されており、当該凹部２５には、装着部材Ｔ２Ｒがフレーム２に取り付けられる際に上記支持部３５Ｒが挿通する。
なお、詳しい図示を省略するが、装着部材Ｔ２Ｌも、鏡面対称構造を有する装着部材Ｔ２Ｒと同様の構成を有する。また、これら装着部材Ｔ２Ｒ，Ｔ２Ｌも、上記装着部材Ｔ１Ｒ，Ｔ１Ｌと同様に、ユーザー側の面、及び、ユーザー側とは反対側の面のそれぞれにゴム等の弾性部材が貼着されたプレートにより構成されている。このようなプレートは、合成樹脂やチタン等の金属により形成できる。
【００７０】
図１８は、装着部材Ｔ２Ｒが取り付けられたフレーム本体３の収容部ＨＰＲにおける縦断面図である。
上記装着部材Ｔ２Ｒがフレーム本体３に取り付けられる場合には、支持部３５Ｒではなく、本発明の第２支持部としての支持部３６Ｒが用いられる。
この支持部３６Ｒは、図１８に示すように、側面部３２Ｒにおいて上部ケース５Ｒによって覆われるリブ３２４，３２５のケース固定部３２４１，３２５１を含んで構成される。詳述すると、支持部３６Ｒは、支持部３５Ｒを上下にて挟む２つの支持部からなり、支持部３５Ｒに対して上側に位置する支持部は、ケース固定部３２４１であり、支持部３５Ｒに対して下側に位置する支持部は、ケース固定部３２５１である。そして、これらケース固定部３２４１，３２５１を含む支持部３６Ｒは、上記のように、上部ケース５Ｒ内に位置し、一方の支持部３６Ｒであるケース固定部３２４１には、上部ケース５Ｒの孔部５３２を挿通したねじＳＣ１が取り付けられ、他方の支持部３６Ｒであるケース固定部３２５１には、上部ケース５Ｒの孔部５３３を挿通したねじＳＣ２が取り付けられる。
このように、支持部３６Ｒは、フレーム本体３において支持部３５Ｒの近傍に位置し、詳しくは、当該支持部３５Ｒを上下方向において挟む部位に位置する。
【００７１】
そして、装着部材Ｔ２Ｒを支持部３６Ｒに取り付ける際には、上部ケース５Ｒの孔部５３２，５３３の位置と孔部Ｔ２２，Ｔ２４の位置とが一致するように、背面部５３に端面Ｔ２１Ａ，Ｔ２３Ａを当接させる。この状態で、ねじＳＣ１を背面側から前面側に向けて、フレーム本体３からの装着部材Ｔ２Ｒの延出方向とは反対方向であり、かつ、上記第１方向に略直交する第２方向に沿って孔部Ｔ２２，５３２に挿入し、当該ねじＳＣ１をケース固定部３２４１に螺合させる。更に、ねじＳＣ２を背面側から前面側に向けて、上記第２方向に沿って孔部Ｔ２４，５３３に挿入し、更に下部ケース７Ｒの孔部７８を挿通させた後に、当該ねじＳＣ２をケース固定部３２５１に螺合させる。これにより、装着部材Ｔ２Ｒが、＋Ｚ方向を中心として回動することなく、支持部３６Ｒ、ひいては、フレーム本体３に固定される。
なお、図示を省略したが、側面部３２Ｌが有するケース固定部３２４１，３２５１を含んで構成される支持部３６Ｌにも、当該装着部材Ｔ２Ｒと同様の取付手順によって装着部材Ｔ２Ｌを取付可能である。
【００７２】
［装着部材の変形］
上記ＨＭＤ１は、ユーザーの耳に懸架される上記装着部材Ｔ１Ｒ，Ｔ１Ｌ，Ｔ２Ｒ，Ｔ２Ｌだけでなく、当該ユーザーの後頭部、側頭部及び前額部等の他の部位に当接してＨＭＤ１を装着させる他の装着部材をフレーム本体３に取付可能である。
このような装着部材として、以下の装着部材を例示できる。
【００７３】
［装着部材の第１変形例］
図１９及び図２０は、フレーム本体３及び装着部材Ｔ３Ｒ，Ｔ３Ｌを正面側上方及び背面側下方から見た斜視図である。
フレーム本体３には、図１９及び図２０に示す装着部材Ｔ３Ｒ，Ｔ３Ｌを取付可能である。
これら装着部材Ｔ３Ｒ，Ｔ３Ｌは、ウレタン等の樹脂により形成された可撓性を有するバンドであり、正面側の端部Ｔ３Ｒ１，Ｔ３Ｌ１が、収容部ＨＰＲ，ＨＰＬの背面側端部（上部ケース５Ｒ，５Ｌの背面部５３）に接続される。この端部Ｔ３Ｒ１は、支持部３５Ｒ，３６Ｒのいずれかに取付可能であり、端部Ｔ３Ｌ１は、支持部３５Ｌ，３６Ｌのいずれかに取付可能である。そして、これら装着部材Ｔ３Ｒ，Ｔ３Ｌは、収容部ＨＰＲ，ＨＰＬの背面側端部から背面側に延出し、ＨＭＤ１がユーザーの頭部に装着された際に、当該ユーザーの側頭部及び後頭部（外後頭隆起近傍の部位）に沿うように配置される。
【００７４】
装着部材Ｔ３Ｒにおいて端部Ｔ３Ｒ１とは反対側の端部Ｔ３Ｒ２、及び、装着部材Ｔ３Ｌにおいて端部Ｔ３Ｌ１とは反対側の端部Ｔ３Ｌ２には、それぞれ磁石ＭＧが設けられている。これら磁石ＭＧは、ユーザーがＨＭＤ１を頭部に装着する際に、各端部Ｔ３Ｒ２，Ｔ３Ｌ２を近付けることにより互いに引き付け合う。これにより、装着部材Ｔ３Ｒ，Ｔ３Ｌをユーザーの後頭部近傍にて容易に接続でき、ひいては、ＨＭＤ１をユーザーの頭部に容易に装着させることができる。なお、装着部材Ｔ３Ｒ，Ｔ３Ｌの長さは、それぞれ同じでなくてもよく、例えば、ユーザーの側頭部近傍にて装着部材Ｔ３Ｒ，Ｔ３Ｌが接続される長さであってもよい。
【００７５】
左側に位置する装着部材Ｔ３Ｌは、ケース部材４Ｌから延出するケーブルＣＢを支持するケーブル支持部Ｔ３Ｌ３を有し、当該ケーブル支持部Ｔ３Ｌ３は、装着部材Ｔ３Ｌ内にてケーブルＣＢを支持している。そして、当該ケーブルＣＢは、ＨＭＤ１が頭部に装着された際に側頭部における後頭部側の部位に応じた装着部材Ｔ３Ｌの部位から外部に露出する。しかしながら、これに限らず、ケーブル支持部Ｔ３Ｌ３は、装着部材Ｔ３Ｌの外側にて支持する構成としてもよい。また、装着部材Ｔ３Ｌにケーブル支持部は無くてもよい。
また、装着部材Ｔ３Ｒ，Ｔ３Ｌは、ウレタン等の樹脂により形成されているとしたが、頭部に沿って配置された状態で端部Ｔ３Ｒ２，Ｔ３Ｌ２同士を接離させることができる程度の可撓性があれば、他の材料により形成されていてもよい。
【００７６】
［装着部材の第２変形例］
図２１及び図２２は、フレーム本体３及び装着部材Ｔ４Ｒ，Ｔ４Ｌを正面側上方及び背面側下方から見た斜視図である。
フレーム本体３には、図２１及び図２２に示す装着部材Ｔ４Ｒ，Ｔ４Ｌを取付可能である。
これら装着部材Ｔ４Ｒ，Ｔ４Ｌは、それぞれ正面側の端部Ｔ４Ｒ１，Ｔ４Ｌ１にて収容部ＨＰＲ，ＨＰＬの背面側端部に接続される。これらのうち、端部Ｔ４Ｒ１は、上記装着部材Ｔ３Ｒと同様に、支持部３５Ｒ，３６Ｒのいずれかに取り付けられ、端部Ｔ４Ｌ１は、上記装着部材Ｔ３Ｌと同様に、支持部３５Ｌ，３６Ｌのいずれかに取り付けられる。
【００７７】
これら装着部材Ｔ４Ｒ，Ｔ４Ｌのうち、装着部材Ｔ４Ｒは、装着部材Ｔ１Ｒ又は装着部材Ｔ２Ｒと、上記装着部材Ｔ３Ｒとを組み合わせたような構成を有する。
具体的に、装着部材Ｔ４Ｒは、フレーム本体３のフロント部３１からの側面部３２Ｒの延出方向に沿って端部Ｔ４Ｒ１から延出し、ユーザーの耳に懸架可能な腕部Ｔ４Ｒ２と、当該腕部Ｔ４Ｒ２における端部Ｔ４Ｒ１近傍の位置から背面側下方に延出するバンド部Ｔ４Ｒ３と、を有する。そして、当該バンド部Ｔ４Ｒ３における腕部Ｔ４Ｒ２側の端部とは反対側の端部Ｔ４Ｒ４には、上記磁石ＭＧが設けられている。
一方、装着部材Ｔ４Ｌも、装着部材Ｔ１Ｌ又は装着部材Ｔ２Ｌと、上記装着部材Ｔ３Ｌとを組み合わせたような構成を有し、腕部Ｔ４Ｒ２と同様の腕部Ｔ４Ｌ２、バンド部Ｔ４Ｒ３と同様のバンド部Ｔ４Ｌ３、及び、磁石ＭＧが設けられた端部Ｔ４Ｌ４を有する。これらバンド部Ｔ４Ｒ３，Ｔ４Ｌ３の長さは、上記装着部材Ｔ３Ｒ，Ｔ３Ｌの長さと同様に、それぞれ同じでなくてもよく、例えば、ユーザーの側頭部近傍にてバンド部Ｔ４Ｒ３，Ｔ４Ｌ３が接続される長さであってもよい。
【００７８】
このような装着部材Ｔ４Ｒ，Ｔ４Ｌがユーザーの頭部に装着される場合には、腕部Ｔ４Ｒ２，Ｔ４Ｌ２を耳に掛け、バンド部Ｔ４Ｒ３，Ｔ４Ｌ３を側頭部及び後頭部に沿わせた後、上記磁石ＭＧにより端部Ｔ４Ｒ４，Ｔ４Ｌ４同士を接続する。
なお、腕部Ｔ４Ｒ２，Ｔ４Ｌ２は、耳に懸架されてＨＭＤ１を支持する部位であることから、ある程度の剛性が必要とされる一方で、バンド部Ｔ４Ｒ３，Ｔ４Ｌ３は、頭部に沿わせる必要があることから、ある程度の可撓性が必要とされる。このため、本実施形態では、腕部Ｔ４Ｒ２，Ｔ４Ｌ２とバンド部Ｔ４Ｒ３，Ｔ４Ｌ３とは、異なる材料により形成されている。しかしながら、これに限らず、装着部材Ｔ４Ｒは、腕部Ｔ４Ｒ２及びバンド部Ｔ４Ｒ３が同じ材料によって形成された一体品であってもよい。装着部材Ｔ４Ｌも同様である。
【００７９】
［装着部材の第３変形例］
図２３及び図２４は、フレーム本体３及び装着部材Ｔ５を正面側上方及び背面側下方から見た斜視図である。
フレーム本体３には、図２３及び図２４に示す装着部材Ｔ５を取付可能である。
この装着部材Ｔ５は、ユーザーの頭部にフレーム本体３を装着させる装着部材である。この装着部材Ｔ５は、左右に位置する腕部Ｔ５１Ｒ，Ｔ５１Ｌと、これら腕部Ｔ５１Ｒ，Ｔ５１Ｌを回動可能に支持し、かつ、当該頭部を挟持する挟持部Ｔ５２と、を有する。
【００８０】
右側の腕部Ｔ５１Ｒにおける正面側の端部Ｔ５１１は、支持部３５Ｒ，３６Ｒのいずれかに取り付けられ、左側の腕部Ｔ５１Ｌにおける正面側の端部Ｔ５１１は、支持部３５Ｌ，３６Ｌのいずれかに取り付けられる。これら腕部Ｔ５１Ｒ，Ｔ５１Ｌは、上記腕部Ｔ４Ｒ２，Ｔ４Ｌ２と同様に、ＨＭＤ１が頭部に装着される際に、ユーザーの耳に懸架可能である。
【００８１】
挟持部Ｔ５２は、後頭部の略中央の位置を除いてユーザーの頭部を囲む円弧状に形成され、当該頭部を挟持するヘッドバンド部であり、後述する端部Ｔ５５Ｒ，Ｔ５５Ｌ間の寸法を広げられる程度の可撓性を有する。この挟持部Ｔ５２は、ユーザーの側頭部における後頭部側の位置に応じた部位に、腕部Ｔ５１Ｒ，Ｔ５１Ｌが回動可能に連結される連結部Ｔ５３Ｒ，Ｔ５３Ｌを有する。これら連結部Ｔ５３Ｒ，Ｔ５３Ｌにて、腕部Ｔ５１Ｒ，Ｔ５１Ｌと挟持部Ｔ５２とが一体化される。
このような挟持部Ｔ５２における正面側の部位Ｔ５４は、ユーザーの前額部に対向し、背面側の左右の端部Ｔ５５Ｒ，Ｔ５５Ｌは、後頭部において外後頭隆起を左右にて挟む部位に対向する。これら部位Ｔ５４及び端部Ｔ５５Ｒ，Ｔ５５Ｌにおいて内側の面には、ユーザーの頭部に接触するクッション等の弾性部材ＥＭが設けられている。
【００８２】
このような装着部材Ｔ５を有するＨＭＤ１を頭部に装着する場合には、挟持部Ｔ５２を被るようにして、当該装着部材Ｔ５を頭部に装着する。この際、上記腕部Ｔ５１Ｒ，Ｔ５１Ｌを右耳及び左耳に掛け、かつ、部位Ｔ５４の弾性部材ＥＭを前額部に、端部Ｔ５５Ｒ，Ｔ５５Ｌの弾性部材ＥＭを外後頭隆起の右側及び左側の部位に当接させる。この状態では、挟持部Ｔ５２の復元力により、端部Ｔ５５Ｒ，Ｔ５５Ｌ及び部位Ｔ５４が頭部を挟持する。これにより、ＨＭＤ１を頭部に装着できる。
なお、上記装着部材Ｔ４Ｒ，Ｔ４Ｌと同様に、腕部Ｔ５１Ｒ，５１Ｌと挟持部Ｔ５２とは、異なる材料により形成されていてもよく、同じ材料により形成されていてもよい。
【００８３】
［実施形態の効果］
以上説明した本実施形態に係るＨＭＤ１によれば、以下の効果を奏することができる。
装着部材Ｔ１Ｒ，Ｔ２Ｒ，Ｔ３Ｒ，Ｔ４Ｒ，Ｔ５のうち、フレーム本体３に取り付けられる装着部材の構造や重さ等に応じて、当該装着部材の取付対象となる支持部を、第１支持部としての支持部３５Ｒと、第２支持部としての３６Ｒとから選択して利用できる。従って、それぞれ異なる装着部材を安定してフレーム本体３に取り付けることができる。この他、複数種類の装着部材をフレーム本体３に取り付けて利用可能となるので、ＨＭＤ１の汎用性を高めることができる。
また、装着部材の形状や構成等に応じて当該装着部材の取付が比較的容易な支持部を、支持部３５Ｒ，３６Ｒから選択して利用することにより、当該装着部材をフレーム本体３に容易に取り付けることができる。従って、この場合には、装着部材の取付を簡略化できる。
装着部材Ｔ１Ｌ，Ｔ２Ｌ，Ｔ３Ｌ，Ｔ４Ｌ，Ｔ５を取付可能な支持部３５Ｌ，３６Ｌによっても同様の効果を奏することができる。
【００８４】
支持部３５Ｒ，３５Ｌは、装着部材Ｔ１Ｒ，Ｔ１Ｌを回動可能に支持し、支持部３６Ｒ，３６Ｌには、装着部材Ｔ２Ｒ，Ｔ２Ｌが固定される。これによれば、装着部材の構成だけでなく、ＨＭＤ１の用途に応じた支持部に、当該用途に応じた装着部材を取り付けることができる。従って、ＨＭＤ１の汎用性を向上できる。
【００８５】
支持部３６Ｒは、支持部３５Ｒの近傍に位置する。これによれば、支持部３５Ｒ，３５Ｌが配置されるフレーム本体３の部位を小さくすることができる。従って、ＨＭＤ１の小型化を図ることができる。支持部３６Ｌが、支持部３５Ｌの近傍に位置することによっても同様の効果を奏することができる。
【００８６】
支持部３５Ｒ，３５Ｌは、第１取付部としてのねじＳＣが第１方向（−Ｙ方向）に沿って固定されることにより装着部材Ｔ１Ｒ，Ｔ１Ｌを支持し、支持部３６Ｒ，３６Ｌは、第２取付部としてのねじＳＣ１，ＳＣ２が第１方向とは異なる第２方向（＋Ｚ方向）に沿って固定されることにより装着部材Ｔ２Ｒ，Ｔ２Ｌを支持する。これによれば、それぞれ異なる第１方向及び第２方向に沿って固定されるねじＳＣ及びねじＳＣ１，ＳＣ２のいずれかにより、対応する支持部に装着部材を支持させることができる。従って、使用する装着部材の構造等に応じて、当該装着部材を支持部３５Ｒ，３５Ｌ及び支持部３６Ｒ，３６Ｌのいずれかに確実に取り付けることができる。
【００８７】
支持部３６Ｒは、フレーム本体３において、当該フレーム本体３からの装着部材Ｔ１Ｒ，Ｔ２Ｒの延出方向に直交する上下方向に支持部３５Ｒを挟む部位にそれぞれ位置する。これによれば、フレーム本体３において各支持部３５Ｒ，３６Ｒを密に配置できる。このため、これら支持部３５Ｒ，３６Ｒが位置するフレーム本体３（収容部ＨＰＲ）の部位を確実に小さく構成できる。従って、ＨＭＤ１の小型化を図ることができる。
ここで、上記延出方向とは反対方向（第２方向）に沿って挿入されるねじによって装着部材Ｔ２Ｒが取り付けられる支持部３６Ｒが１つであると、フレーム本体３に対する装着部材Ｔ２Ｒの取付時に、当該装着部材Ｔ２Ｒが当該延出方向を中心として回動してしまう可能性がある。これに対し、支持部３６Ｒは少なくとも２つ設けられ、それぞれにねじＳＣ１，ＳＣ２が固定されるので、装着部材Ｔ２Ｒの回動が生じることを抑制できる。従って、装着部材Ｔ２Ｒをより安定して取り付けることができる。
装着部材Ｔ２Ｌが取り付けられる支持部３６Ｌによっても同様の効果を奏することができる。
【００８８】
フレーム２は、フレーム本体３の側面部３２Ｒに取り付けられるケース部材４Ｒを備える。このケース部材４Ｒは、上方に位置する上部ケース５Ｒと、下方に位置して上部ケース５Ｒと組み合わされる下部ケース７Ｒと、を有する。そして、第２取付部としてのねじＳＣ１は、上部ケース５Ｒと装着部材Ｔ２Ｒとを支持部３６Ｒ（ケース固定部３２４１）に固定する。同様に、第２取付部としてのねじＳＣ２は、上部ケース５Ｒ、下部ケース７Ｒと装着部材Ｔ２Ｒとを支持部３６Ｒ（ケース固定部３２５１）に固定する。これによれば、上部ケース５Ｒ及び下部ケース７Ｒをフレーム本体３に取り付けるための構成を別途設ける必要がなく、これら支持部３６Ｒを用いて、上部ケース５Ｒ及び下部ケース７Ｒをフレーム本体３（側面部３２Ｒ）に取り付けることができる。従って、フレーム本体３の構成が複雑化することを抑制できる。
側面部３２Ｌが有するケース固定部３２４１，３２５１を含んで構成される支持部３６Ｌによっても同様の効果を奏することができる。
【００８９】
第１取付部である固定具としてのねじＳＣは、装着部材Ｔ１Ｒの孔部３５１を上記延出方向に直交する下方（第１方向）に挿通して、当該装着部材Ｔ１Ｒを支持部３５Ｒに取り付ける。また、第２取付部である固定具としてのねじＳＣ１，ＳＣ２は、フレーム本体３からの装着部材Ｔ２Ｒの延出方向に沿って、当該延出方向とは反対方向（第２方向）に装着部材Ｔ２Ｒの孔部Ｔ２２，Ｔ２４を挿通して、当該装着部材Ｔ２Ｒを支持部３６Ｒに取り付ける。これによれば、当該ねじＳＣにより、装着部材Ｔ１Ｒを確実に支持部３５Ｒに取り付けることができ、また、当該ねじＳＣ１，ＳＣ２により、装着部材Ｔ２Ｒを支持部３６Ｒに取り付けることができる。従って、簡易な構成によって装着部材Ｔ１Ｒ，Ｔ２Ｒを確実にフレーム本体３に取り付けることができる。
装着部材Ｔ１Ｒ，Ｔ２Ｒと同様に、ねじにより装着部材Ｔ１Ｌ，Ｔ２Ｌが取り付けられる支持部３５Ｌ，３６Ｌによっても同様の効果を奏することができる。
【００９０】
フレーム本体３からの装着部材Ｔ２Ｒの延出方向に沿って当該装着部材Ｔ２Ｒ及びケース部材４Ｒ（上部ケース５Ｒ及び下部ケース７Ｒ）を挿通したねじＳＣ１，ＳＣ２が取り付けられる支持部３６Ｒ（ケース固定部３２４１，３２５１）は、ケース部材４Ｒの内側に位置する。これによれば、当該支持部３６Ｒを目立たなくすることができる他、上記のように、装着部材Ｔ２Ｒだけでなくケース部材４Ｒをフレーム本体３に、支持部３６Ｒにて固定できる。従って、ケース部材４Ｒをフレーム本体３に固定する構成を当該フレーム本体３に別途設ける必要がないので、フレーム本体３の構成を簡略化できる。
更に、支持部３５Ｒに装着部材Ｔ１Ｒを取り付けるねじＳＣの装着部材Ｔ１Ｒへの挿入方向が、上記延出方向に対する直交方向に沿う上下方向であるので、当該挿入方向を中心軸として装着部材Ｔ１Ｒを回動可能に支持部３５Ｒに取り付けることができる。このため、ＨＭＤ１を使用しない場合には、装着部材Ｔ１Ｒをユーザー側に折り畳むことができる。従って、ＨＭＤ１の取扱いを容易にできる。
装着部材Ｔ１ＬがねじＳＣによって取り付けられる支持部３５Ｌ、及び、装着部材Ｔ２Ｌ及びケース部材４ＬがねじＳＣ１，ＳＣ２によって取り付けられる支持部３６Ｌによっても、上記と同様の効果を奏することができる。
【００９１】
［実施形態の変形］
本発明は、上記実施形態に限定されるものではなく、本発明の目的を達成できる範囲での変形、改良等は本発明に含まれるものである。
装着部材Ｔ１Ｒ，Ｔ２Ｒは、固定具としてのねじＳＣ，ＳＣ１，ＳＣ２によって支持部３５Ｒ，３６Ｒに取り付けられるとした。しかしながら、これに限らず、装着部材は、他の固定具や、当該装着部材自身が有する取付部によって支持部に取り付けられてもよい。例えば、装着部材Ｔ１Ｒは、支持部３５Ｒの孔部３５１に挿入されて取り付けられる取付部（第１取付部）を有していてもよく、装着部材Ｔ２Ｒは、支持部３６Ｒ（ケース固定部３２４１，３２５１）に挿入されて固定される取付部（第２取付部）を有していてもよい。支持部３５Ｌ，３６Ｌ及び装着部材Ｔ１Ｌ，Ｔ２Ｌにおいても同様であり、他の装着部材Ｔ３Ｒ，Ｔ３Ｌ，Ｔ４Ｒ，Ｔ４Ｌ，Ｔ５においても同様である。
【００９２】
ＨＭＤ１では、装着部材として、眼鏡のテンプル様の構成を有する装着部材Ｔ１Ｒ，Ｔ１Ｌ，Ｔ２Ｒ，Ｔ２Ｌと、バンド様の構成を有する装着部材Ｔ３Ｒ，Ｔ３Ｌと、テンプル及びバンドを組み合わせたような構成を有する装着部材Ｔ４Ｒ，Ｔ４Ｌと、ヘッドバンド様の構成を有する装着部材Ｔ５とを挙げた。しかしながら、これに限らず、フレーム本体３に取り付けられてＨＭＤ１をユーザーの頭部に装着させることが可能であれば、装着部材の構成及び形状は問わない。
【００９３】
支持部３６Ｒは、支持部３５Ｒの近傍に位置するとした。更に、当該支持部３６Ｒは、支持部３５Ｒを上下に挟む位置に設けられるとした。しかしながら、これに限らず、支持部３５Ｒ，３６Ｒの配置は、適宜変更可能である。すなわち、支持部３５Ｒ，３６Ｒは、離間して配置されていてもよく、支持部３５Ｒを左右方向にて挟む位置に支持部３６Ｒが設けられていてもよい。また、支持部３６Ｒは、側面部３２Ｒとケース部材４Ｒとを固定するねじＳＣ１，ＳＣ２が螺合するケース固定部３２４１，３２５１を有する構成とした。しかしながら、これに限らず、支持部３６Ｒは、当該ケース固定部３２４１，３２５１とは別に設けてもよい。更に、装着部材を固定するねじＳＣ１，ＳＣ２等の固定具が取り付けられる支持部３６Ｒの数は、１つでも３以上でもよい。この場合、上記のように、支持部３５Ｒを囲むように、支持部３６Ｒを配置してもよく、複数の支持部３６Ｒのうちの２つが支持部３５Ｒを挟むように配置してもよく、当該支持部３５Ｒとは異なる位置に、支持部３６Ｒを配置してもよい。
また、支持部３５Ｒ，３６Ｒの構成も上記に限らず、適宜変更可能である。支持部３５Ｌ，３６Ｌにおいても同様である。
【００９４】
フレーム２は、側面部３２Ｒに取り付けられて収容部ＨＰＲを構成するケース部材４Ｒを有するとした。しかしながら、これに限らず、このようなケース部材４Ｒは無くてもよい。また、ケース部材４Ｒは、上部ケース５Ｒ及び下部ケース７Ｒの他、基板ホルダー６Ｒを有するとした。しかしながら、これに限らず、基板ホルダー６Ｒは無くてもよい。そして、これら上部ケース５Ｒ及び下部ケース７Ｒは、装着部材Ｔ２Ｒを取付可能な支持部３６Ｒにて側面部３２Ｒに取り付けられるとした。しかしながら、これに限らず、フレーム本体３にケース部材４Ｒを取り付ける構成を別途設けてもよい。
ケース部材４Ｌ及び支持部３６Ｌにおいても同様である。
【００９５】
上記ＨＭＤ１では、装着部材Ｔ１Ｒ，Ｔ１Ｌは、支持部３５Ｒ，３５Ｌに取り付けられ、装着部材Ｔ２Ｒ，Ｔ２Ｌは、支持部３６Ｒ，３６Ｌに取り付けられるとした。また、装着部材Ｔ３Ｒ，Ｔ３Ｌ，Ｔ４Ｒ，Ｔ４Ｌ，Ｔ５は、支持部３５Ｒ，３５Ｌ及び支持部３６Ｒ，３６Ｌのいずれかに取り付けられるとした。しかしながら、これに限らず、右側の支持部３５Ｒ，３６Ｒのそれぞれと、左側の支持部３５Ｌ，３６Ｌのそれぞれとの少なくともいずれかを用いて、１つの装着部材をフレーム本体３に取り付けてもよい。
例えば、支持部３５Ｒ，３５Ｌと同様の構成を有する左右の第１支持部と、支持部３６Ｒ，３６Ｌと同様の構成を有する左右の第２支持部と、が互いに離間して配置されている場合等に、図１９及び図２０に示した装着部材Ｔ４Ｒ，Ｔ４Ｌの腕部Ｔ４Ｒ２，Ｔ４Ｌ２と同様の腕部を有する装着部材が左右の第１支持部に取り付けられ、バンド部Ｔ４Ｒ３，Ｔ４Ｌ３と同様のバンド部を有する装着部材が左右の第２支持部に取り付けられる装着部材を採用してもよい。更に、このような第１支持部及び第２支持部のそれぞれを用いて装着される装着部材は、上記装着部材Ｔ５と同様に、１つの装着部材でもよい。すなわち、支持部３５Ｒ，３５Ｌと、支持部３６Ｒ，３６Ｌとのそれぞれに、装着部材を支持させてもよい。そして、この場合、上記の例では、第１支持部に取り付けられる装着部材を回動可能に支持できる。
更に、装着部材は、右側の支持部３５Ｒ，３６Ｒのいずれかと、左側の支持部３５Ｌ，３６Ｌのいずれかとに取り付けられるとした。しかしながら、これに限らず、右側の支持部にのみ取り付けられてもよく、左側の支持部にのみ取り付けられてもよい。
【００９６】
上記ＨＭＤ１では、第１支持部としての支持部３５Ｒ，３５Ｌと、第２支持部としての支持部３６Ｒ，３６Ｌとは、それぞれ異なる方向に沿って固定されるねじによって装着部材が固定されることにより、当該装着部材を支持するとした。そして、支持部３５Ｒ，３５Ｌは、装着部材Ｔ１Ｒ，Ｔ１Ｌを回動可能に支持し、支持部３６Ｒ，３６Ｌには、装着部材Ｔ２Ｒ，Ｔ２Ｌが固定されるとした。しかしながら、これに限らず、第１支持部と第２支持部とによる装着部材の支持形式が異なれば、これら第１支持部及び第２支持部の構成は問わない。例えば、当該支持形式として、支持部に装着部材を取り付ける取付具の種別、取付方向及び取付方法が挙げられる他、取付状態及び支持状態が挙げられる。取付状態及び支持状態としては、例えば、一方の支持部に装着部材が回動、スライド及び揺動等の移動が可能に支持され、他方の支持部に装着部材が移動不可能に支持されている状態が挙げられる。すなわち、第１支持部による装着部材の支持形式と、第２支持部による装着部材の支持形式とが異なれば、これら第１支持部及び第２支持部の構成や、これらによる支持形式は問わない。
【００９７】
上記ＨＭＤ１では、撮像装置８は、フレーム本体３における右側端部３１Ｒに１つ設けられているとした。しかしながら、これに限らず、撮像装置８の位置及び数は、適宜変更可能である。例えば、撮像装置８は、左側端部３１Ｌに設けられていてもよく、左側端部３１Ｌ及び右側端部３１Ｒのそれぞれに設けられていてもよい。更に、撮像装置は、右側端部３１Ｒ及び左側端部３１Ｌのいずれでもなく、例えば、フレーム本体３の中央や、側面部３２Ｒ，３２Ｌ、或いは、ケース部材４Ｒ，４Ｌに少なくとも１つ設けられていてもよい。
【００９８】
上記ＨＭＤ１では、表示部として、収容部ＨＰＲ，ＨＰＬに収容された画像投射部９１から投射された画像光をユーザーの眼に導く導光部材９７Ｒ，９７Ｌを採用した。しかしながら、これに限らず、当該表示部は、液晶パネルや有機ＥＬパネル等の表示パネルであってもよい。すなわち、クローズド型のＨＭＤに本発明を適用することも可能である他、ユーザーが視認可能に画像を表示できれば、当該画像の表示形式は問わない。また、導光部材９７Ｒ，９７Ｌに代えて、画像投射部９１によって投射された画像をユーザーの眼に反射させる反射部材を表示部として採用してもよい。
また、収容部ＨＰＲ，ＨＰＬ内に収容される部材は、画像投射部９１及び制御部９６でなくてもよく、これらのうち一方のみでもよい。更に、例えば表示部の動作に必要な制御回路や電源等、他の部材でもよい。
更に、ＨＭＤ１では、ユーザーの眼に応じて配置される導光部材９７Ｒ，９７Ｌを有する光学装置９Ｒ，９Ｌを、当該ユーザーの左眼及び右眼に応じて備える構成とした。しかしながら、これに限らず、光学装置９Ｒ，９Ｌのうち、いずれか一方のみを備えるＨＭＤを構成してもよい。
【００９９】
上記ＨＭＤ１では、光学装置９Ｌ，９Ｒを構成する制御部９６は、画像投射部９１の動作、すなわち、画像形成装置９２による画像形成を制御するとした。しかしながら、これに限らず、例えば上記光学装置９Ｒを構成する制御部９６のように、撮像装置８の動作制御（発光部の点灯を含む）を実行してもよく、外部から供給される電力を用いてフレーム２に保持されたバッテリーの充電制御を実施してもよく、更には、他のＨＭＤ１等の画像表示装置や、画像供給装置等の電子機器との通信を制御してもよい。すなわち、収容部ＨＰＲ，ＨＰＬ内に収容される制御部９６が実行する処理は、他の処理でもよい。この場合、画像形成装置９２の動作を制御する制御装置が、別の場所に設けられていてもよい。
更に、制御部９６は、プリント基板に限らず、フレキシブルプリント基板であってもよく、演算処理回路等の回路素子を有する制御ユニットであってもよい。すなわち、所定の制御を実行するものであれば、本発明の制御部の構成は問わない。
【符号の説明】
【０１００】
１…ＨＭＤ（頭部装着型画像表示装置）、２…フレーム、３…フレーム本体（フレーム部材）、３１…フロント部、３２Ｌ，３２Ｒ…側面部、４Ｌ，４Ｒ…ケース部材、５Ｌ，５Ｒ…上部ケース、５３…背面部、５３２，５３３…孔部、７Ｌ，７Ｒ…下部ケース、３５Ｌ，３５Ｒ…支持部（第１支持部）、３６Ｌ，３６Ｒ…支持部（第２支持部）、９７Ｌ，９７Ｒ…導光部材（表示部）、ＳＣ…ねじ（第１取付部、固定具）、ＳＣ１，ＳＣ２…ねじ（第２取付部、固定具）、Ｔ１Ｌ，Ｔ１Ｒ，Ｔ２Ｌ，Ｔ２Ｒ，Ｔ３Ｌ，Ｔ３Ｒ，Ｔ４Ｌ，Ｔ４Ｒ，Ｔ５…装着部材、Ｔ２１，Ｔ２３…屈曲部、Ｔ２１Ａ，Ｔ２３Ａ…端面、Ｔ２２，Ｔ２４…孔部、Ｔ２５…凹部。
【図１】
0006686503.tif 000002
【図２】
0006686503.tif 000003
【図３】
0006686503.tif 000004
【図４】
0006686503.tif 000005
【図５】
0006686503.tif 000006
【図６】
0006686503.tif 000007
【図７】
0006686503.tif 000008
【図８】
0006686503.tif 000009
【図９】
0006686503.tif 000010
【図１０】
0006686503.tif 000011
【図１１】
0006686503.tif 000012
【図１２】
0006686503.tif 000013
【図１３】
0006686503.tif 000014
【図１４】
0006686503.tif 000015
【図１５】
0006686503.tif 000016
【図１６】
0006686503.tif 000017
【図１７】
0006686503.tif 000018
【図１８】
0006686503.tif 000019
【図１９】
0006686503.tif 000020
【図２０】
0006686503.tif 000021
【図２１】
0006686503.tif 000022
【図２２】
0006686503.tif 000023
【図２３】
0006686503.tif 000024
【図２４】
0006686503.tif 000025